【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  少なくとも１つの予め選択された、スペクトラム拡散信号を生成する疑似ランダムノイズ（ＰＮ）拡散コードを用いてディジタル情報信号がバンド幅拡散されるスペクトラム拡散通信システム内で、情報信号を拡散する装置において、
前記ディジタル情報信号を生成する手段と、
第１のコード長と第１のコード期間を有する少なくとも１つの第１のＰＮ拡散コードと、第２のコード長と第２のコード期間を有する第２の予め決められたＰＮコードシーケンスと、スペクトラム拡散信号を供給するための前記情報信号とを受信し、そして合成する拡散手段を具備し、前記第１のコード長は、実質的に前記第２のコード長より長く、そして、前記第２のコード期間は、実質的に前記第１のコード期間より長いことを特徴とする。
【請求項２】  前記第２のＰＮ拡散コードは、ｍシーケンスＰＮコードの予め選択された部分であることを特徴とする請求項１に記載の装置。
【請求項３】  前記拡散手段は、
少なくとも１つの第１のＰＮコードと、第１のスペクトラム拡散信号を生成する前記ディジタル情報信号とを受信し、そして合成する第１の拡散手段と、
第２のスペクトラム拡散信号を生成するために、前記第２のＰＮコードシーケンスと前記第１のスペクトラム拡散信号とを受信し、そして合成する第２の拡散手段と備えることを特徴とする請求項１に記載の装置。
【請求項４】  搬送波信号を受信し、前記第２のスペクトラム拡散信号で変調する前記第２の拡散手段に接続される送信手段を備えることを特徴とする請求項３に記載の装置。
【請求項５】  前記第１の拡散手段は、
第１の多項式関数を用いて、同相ＰＮチップコードの第１のスペクトラム拡散信号を生成する第１のＰＮコード生成器と、
第２の異なる多項式関数を用いて、直交相ＰＮチップコードの第２のスペクトラム拡散信号を生成する第２のＰＮコード生成器とを備えることを特徴とする請求項３に記載の装置。
【請求項６】  前記第２の拡散手段は、第１と第２の多項式関数と異なる多項式関数を用いて第３のＰＮチップコードの第３のスペクトラム拡散信号を生成する第３のＰＮコード生成器を備えることを特徴とする請求項５に記載の装置。
【請求項７】  前記第２の拡散手段は、さらに、
予め選択したＰＮコードシーケンスを蓄積するストレージ手段と、
蓄積された前記ＰＮコードシーケンスを受信し、そしてその上に１チップの遅延を与えるために接続される遅延手段と、
前記ＰＮと遅延したＰＮコードシーケンスの間で受信して、そして生成物を形成し、そして前記生成物を差分符号化出力として供給する乗算手段とを備えることを特徴とする請求項６に記載の装置。
【請求項８】  前記第２のＰＮコードシーケンスは、最初の２４チップが「-1 -1 1 -1 1 -1 -1 1 1 -1 -1 -1 1 -1 1 1 -1 -1 -1 -1 -1 1 -1 1 」の値で残りのチップが「 1 」の２８８チップの長さを持つことを特徴とする請求項７に記載の装置。
【請求項９】  前記拡散手段は、前記第２のＰＮコードシーケンスとひとつの１チップ遅延したＰＮコードシーケンスを生成し、そして合成して、差分符号化出力を生成する手段を備えることを特徴とする請求項１に記載の装置。
【請求項１０】  前記拡散手段は、第１のオーダの差分符号化出力を生成する手段であることを特徴とする請求項９に記載の装置。
【請求項１１】  前記拡散手段は、第２のオーダの差分符号化出力を生成する手段であることを特徴とする請求項９に記載の装置。
【請求項１２】  前記拡散手段は、コヒーレントな差分符号化出力を生成する手段であることを特徴とする請求項９に記載の装置。
【請求項１３】  前記拡散手段は、前記第２のＰＮコードシーケンスを受信して、そしてその上に１チップの遅延を与えるために接続される遅延手段と、
前記第２のＰＮと遅延したＰＮコードシーケンスの間で受信して、そして生成物を形成し、そして前記生成物を差分符号化出力として供給する乗算手段とを備えることを特徴とする請求項１に記載の装置。
【請求項１４】  少なくとも１つの予め選択された、スペクトラム拡散信号を生成する疑似ランダムノイズ（ＰＮ）拡散コードを用いてディジタル情報信号がバンド幅拡散されるスペクトラム拡散通信システム内で、情報信号を拡散する装置において、
第１のコード長を有する、少なくとも１つの第１の予め決められたＰＮ拡散コードと、第１のコード期間とに相当する第１のＰＮ信号を生成する第１のＰＮ生成手段と、
実質的に前記第１のコード長より短い第２のコード長と、前記第１のコード期間より実質的に長い第２のコード期間とを有する第２の予め決められたＰＮコードシーケンスに相当する第２のＰＮ信号を生成する第２のＰＮ生成手段と、
前記第１と第２のＰＮ信号と、前記スペクトラム拡散信号を供給するための前記ディジタル情報信号とを受信し、そして合成するために接続される拡散手段とを具備することを特徴とする。
【請求項１５】  前記第１のＰＮ拡散コード期間は、前記第２のＰＮコードシーケンスについての１チップ期間に等しいことを特徴とする請求項１４に記載の装置。
【請求項１６】  前記第１および第２のＰＮ拡散コードは、同じ予め選択された時間で始まるコード期間を持つことを特徴とする請求項１５に記載の装置。
【請求項１７】  前記第１および第２のＰＮ拡散コードは、長さが最大長に増大した線形シーケンスＰＮコードの予め選択された部分であることを特徴とする請求項１４に記載の装置。
【請求項１８】  前記拡散手段は、前記第２のＰＮ拡散コードを差分符号化バージョンを収容するデータストレージ手段を備えることを特徴とする請求項１４に記載の装置。
【請求項１９】  少なくとも１つの予め選択された、スペクトラム拡散信号を生成する疑似ランダムノイズ（ＰＮ）拡散コードを用いてディジタル情報信号がバンド幅拡散されるスペクトラム拡散通信システム内で、情報信号を拡散する方法において、
第１のコード長と第１のコード期間を有する少なくとも１つの第１の予め決められたＰＮ拡散コードと、第２のコード長と第２のコード期間を有する第２の予め決められたＰＮコードシーケンスと、前記スペクトラム拡散信号を生成するための前記ディジタル情報信号とを受信し、そして合成する工程を具備し、前記第１のコード長は、実質的に前記第２のコード長より長く、そして、前記第２のコード期間は、実質的に前記第１のコード期間より長いことを特徴とする。
【請求項２０】  前記受信して合成する工程は、
少なくとも１つの第１のＰＮコードと前記情報信号を受信して合成し、第１のスペクトラム拡散信号を生成する工程と、
前記スペクトラム拡散信号を生成するために、前記第２のＰＮコードシーケンスと前記第１のスペクトラム拡散信号を受信して合成し、第１のスペクトラム拡散信号を生成する工程とを備えることを特徴とする請求項１９に記載の方法。
【請求項２１】  第１のＰＮコードを生成する工程は、
第１の多項式関数を用いて、同相のＰＮチップコードの第１のスペクトラム拡散信号を生成する工程と、
第２の異なる多項式関数を用いて直交相ＰＮチップコードの第２のスペクトラム拡散信号を生成する工程とを備えることを特徴とする請求項２０に記載の方法。
【請求項２２】  第２のＰＮコードシーケンスを生成する工程は、第１と第２の多項式関数と異なる多項式関数を用いて第３のＰＮチップコードの第３のスペクトラム拡散信号を生成する工程を備えることを特徴とする請求項２１に記載の方法。
【請求項２３】  予め選択された、スペクトラム拡散信号を生成する疑似ランダムノイズ（ＰＮ）拡散コードを用いてディジタル情報信号がバンド幅拡散されるスペクトラム拡散通信システム内で、情報信号を拡散する方法において、
第１のコード長を有する、少なくとも１つの第１の予め決められたＰＮ拡散コードと、第１のコード期間とに相当する第１のＰＮ信号を生成する工程と、
実質的に前記第１のコード長より短い第２のコード長と、前記第１のコード期間より実質的に長い第２のコード期間を有する第２の予め決められたＰＮコードシーケンスに相当する第２のＰＮ信号を生成する工程と、
前記第１のＰＮ信号と、前記第２のＰＮ信号と、前記スペクトラム拡散信号を生成するための前記ディジタル情報信号とを受信し、そして合成する工程とを具備することを特徴とする。
【請求項２４】  前記第２のＰＮコードに関する１チップ期間を実質的に前記第１のＰＮ拡散コード期間に等しく設定する工程を備えることを特徴とする請求項２３に記載の方法。
【請求項２５】  前記第１および第２のＰＮコードに関するコード期間を、同じ予め選択された時間に始まるように設定する工程を備えることを特徴とする請求項２４に記載の方法。
【請求項２６】  ｍシーケンスＰＮコードの部分から前記第２のＰＮコードを選択する工程を備えることを特徴とする請求項２３に記載の方法。
【請求項２７】  第２のＰＮ信号を生成する工程は、要求された第２のＰＮコードの差分符号化バージョンをデータストレージ手段に蓄積する工程を備えることを特徴とする請求項２３に記載の方法。
【請求項２８】  第１のオーダ差分符号化ＰＮコードシーケンスを蓄積する工程を備えることを特徴とする請求項２７に記載の方法。
【請求項２９】  第２のオーダ差分符号化ＰＮコードシーケンスを蓄積する工程を備えることを特徴とする請求項２８に記載の方法。
【請求項３０】  コヒーレントな差分符号化ＰＮコードシーケンスを蓄積する工程を備えることを特徴とする請求項２７に記載の方法。
【請求項３１】  第２のＰＮ信号を生成する前記工程は、
予め選択され要求された第２のＰＮコードをコードメモリに蓄積する工程と、
前記蓄積された第２のＰＮコードの１チップ遅延したバージョンを回収し、生成する工程と、
前記蓄積された第２のＰＮコードと前記蓄積したＰＮコードの遅延したバージョンとの間で、回収して生成物を形成し、差分符号化された第２のＰＮコードを供給する工程とを備えることを特徴とする請求項２３に記載の方法。
【請求項３２】  最初の２４チップが「-1 -1 1 -1 1 -1 -1 1 1 -1 -1 -1 1 -1 1 1 -1 -1 -1 -1 -1 1 -1 1 」の値で残りのチップが「 1 」の２８８チップの長さを持つ前記第２のＰＮコードを持つＰＮコードを蓄積する工程を備えることを特徴とする請求項３１に記載の方法。
【請求項３３】  少なくとも第１のＰＮ拡散コードと、スペクトラム拡散通信信号を生成するための第２のＰＮコードシーケンスを用いて、ディジタル情報信号がバンド幅拡散されるスペクトラム拡散通信システム内で、通信信号を取得する装置において、
前記スペクトラム拡散通信信号を受信して変調し、スペクトラム拡散信号を出力として生成するために、搬送波信号を除去する受信手段と、
前記第１のＰＮ拡散コードで前記スペクトラム拡散信号を逆拡散し、中間周波の逆拡散信号を生成する逆拡散手段と、
前記第１のＰＮ拡散コードの期間に等しい期間にわたって、蓄積された中間周波の逆拡散信号をマッチトフィルタリングする手段とを具備することを特徴とする。
【請求項３４】  前記フィルタリングの結果を予め選択された閾値と比較する比較手段を備えることを特徴とする請求項３３に記載の装置。
【請求項３５】  前記受信手段は、前記スペクトラム拡散信号を前記第１のＰＮ拡散コードと合成し、前記中間周波の逆拡散信号を生成する前記逆拡散手段を備え、
前記マッチトフィルタリングする手段は、前記第１のＰＮコード期間に等しい期間にわたって前記中間周波の逆拡散信号を蓄積するために、前記中間周波の逆拡散信号を受信するように接続される蓄積手段を備えることを特徴とする請求項３３に記載の装置。
【請求項３６】  予め選択された疑似ランダムノイズ（ＰＮ）拡散コードを用いて、ディジタル情報信号がバンド幅拡散されるスペクトラム拡散通信システム内で、スペクトラム拡散通信信号のタイミングを取得して、システムユーザに送信するためのスペクトラム拡散変調信号を生成する装置において、
第１のコード長と期間の第１のＰＮ拡散コードと、前記ディジタル情報信号と、第２のコード長と、実質的に第１より長い第２の期間の第２のＰＮコードシーケンスとを合成してなるスペクトラム拡散信号を受信する手段と、
前記スペクトラム拡散信号を前記第１のＰＮ拡散コードと合成し、中間周波の逆拡散信号を生成する逆拡散手段と、
前記第１のＰＮコード期間に等しい期間にわたって、前記中間周波の逆拡散信号を蓄積する蓄積手段と、
前記蓄積された中間周波の逆拡散信号を差分復号する手段とを具備することを特徴とする。
【請求項３７】  前記第２のＰＮコードシーケンスの差分符号化されたバージョンが用いられることを特徴とする請求項３６に記載の装置。
【請求項３８】  前記復号された中間周波の逆拡散信号にマッチトフィルタリングを施す手段と、
前記フィルタリングの結果を予め選択された閾値と比較する比較手段とを備えることを特徴とする請求項３６に記載の装置。
【請求項３９】  前記復号された中間周波の逆拡散信号の大きさを決定する手段と、
前記閾値を提供するために、前記第１のＰＮ拡散コードの期間にわたって、前記大きさの平均値を決定する手段とを備えることを特徴とする請求項３７に記載の装置。
【請求項４０】  予め選択された疑似ランダムノイズ（ＰＮ）拡散コードを用いて、ディジタル情報信号がバンド幅拡散されるスペクトラム拡散通信システム内で、スペクトラム拡散通信信号のタイミングを取得して、システムユーザに送信するためのスペクトラム拡散変調信号を生成する方法において、
第１のコード長と期間の第１のＰＮ拡散コードと、前記ディジタル情報信号と、第２のコード長と、実質的に第１より長い第２の期間の第２のＰＮコードとを合成してなるスペクトラム拡散信号を受信する工程と、
前記スペクトラム拡散変調信号を前記第１のＰＮ拡散コードと合成し、中間周波の逆拡散信号を生成する工程と、
前記第１のＰＮコード期間に等しい期間にわたって、前記中間周波の逆拡散信号を蓄積する工程と、
前記蓄積された中間周波の逆拡散信号を差分復号する工程とを具備することを特徴とする。
【請求項４１】  前記第２のＰＮコードシーケンスを差分符号化する工程を備えることを特徴とする請求項４０に記載の方法。
【請求項４２】  前記復号された中間周波の逆拡散信号にマッチトフィルタリングを施す工程と、
前記フィルタリングの結果を予め選択された閾値と比較する工程とを備えることを特徴とする請求項４０に記載の方法。
【請求項４３】  前記復号された中間周波の逆拡散信号の大きさを決定する工程と、
前記閾値を提供するために、前記第１のＰＮ拡散コードの期間にわたって、前記大きさの平均値を決定する工程とを備えることを特徴とする請求項４２に記載の方法。
【請求項４４】  予め選択された疑似ランダムノイズ（ＰＮ）拡散コードを用いて、ディジタル情報信号がバンド幅拡散され、スペクトラム拡散変調信号を復調して情報信号を回収するシステムユーザに送信される前記スペクトラム拡散変調信号を生成するスペクトラム拡散システムにおいて、
それぞれ少なくとも１つの通信信号送信機を備える複数のゲートウェイ型の基地局は、
予め設定されたコード長と第１の期間を有する予め決められたＰＮ拡散コードに相当する第１のＰＮ信号を生成する第１のＰＮ生成手段と、
前記第１のＰＮ信号とディジタル情報信号を受信し、そして合成し、中間周波のスペクトラム拡散変調信号を供給する第１の拡散手段と、
前記第１のＰＮコードより実質的に短い第２の予め設定されたコード長と、前記第１のＰＮコードより実質的に長い第２の期間を有する第２の予め決められたＰＮコードに相当する第２のＰＮ信号を生成する第２のＰＮ生成手段と、
スペクトラム拡散変調信号を生成するために、前記第２のＰＮ信号と前記中間周波のスペクトラム拡散変調信号とを受信して合成する第２の拡散手段と、
搬送波信号を前記スペクトラム拡散変調信号で受信して変調し、スペクトラム拡散通信信号を生成する前記第２の拡散手段が接続される送信手段とを備え、
それぞれ移動受信機を備える複数のユーザ端末は、
前記スペクトラム拡散通信信号を受信して復調し、前記搬送波信号を除去して、前記スペクトラム拡散変調信号を出力として生成する受信手段と、
前記スペクトラム拡散変調信号を前記第１のＰＮ拡散コードと合成し、中間周波の逆拡散信号を生成する逆拡散手段と、
前記第１のＰＮコード期間に等しい期間にわたって、前記中間周波の逆拡散信号を蓄積するための前記中間周波の逆拡散信号を受信するために接続される蓄積手段と、
前記蓄積された中間周波の逆拡散信号にマッチトフィルタリングを施す手段と、前記フィルタリングの結果を予め選択された閾値と比較する手段とを備えることを特徴とする。
【請求項４５】  前記第２の拡散手段は、前記合成よりも前に第２のＰＮコードの差分符号化バージョンを形成し、
前記蓄積された中間周波の逆拡散信号を差分符号化していない復号を行う手段を備えることを特徴とする請求項４４に記載のスペクトラム拡散通信システム。
【請求項４６】  前記ゲートウェイからの通信信号を受信し、前記通信信号をユーザ端末に転送する複数の衛星中継器を備えることを特徴とする請求項４４に記載のスペクトラム拡散通信システム。
【請求項４７】  少なくとも１つの予め選択された疑似ランダムノイズ（ＰＮ）拡散コードを用いて、ディジタル情報信号がバンド幅拡散され、スペクトラム拡散信号を復調して情報信号を回収するシステムユーザに送信される前記スペクトラム拡散信号を生成するスペクトラム拡散システムにおいて、
予め選択された第１のコード長と第１のコード期間を持ち、少なくとも１つの予め決められたＰＮ拡散コードと、実質的に前記第１のＰＮコード期間より長い第２の予め選択されたコード長とコード期間を持つ第２の予め決められたＰＮコードシーケンスと、スペクトラム拡散通信信号を供給するための前記情報信号とを受信して合成するために接続される拡散手段と、
スペクトラム拡散通信信号を受信する手段と、
前記スペクトラム拡散通信信号を前記第１のＰＮ拡散コードと合成し、中間周波の逆拡散信号を生成する逆拡散手段と、
前記第１のＰＮコード期間に等しい期間にわたって、前記中間周波の逆拡散信号を蓄積する蓄積手段と、
前記蓄積された中間周波の逆拡散信号を差分復号する手段とを具備することを特徴とする。